(57)【要約】【課題】草の根等が引っ掛かることを抑制することができると共に、効率よく土を耕すことができるようにすることを目的とする。【解決手段】農具１０は、棒状の柄２０と、柄２０の先端部に、その一側方に向けて突出するように取付けられた刃部３０とを備える。刃部３０は、板状基部３４と、板状基部３４の先端側に、前記板状基部３４とは異なる角度で設けられた先端刃部４０とを備える。板状基部３４は、先端刃部４０より柄２０の延在方向に対して大きく傾斜している。【選択図】図１
2015077109.tif 000002
【特許請求の範囲】
【請求項１】
棒状の柄と、
前記柄の先端部に、その一側方に向けて突出するように取付けられた刃部と、
を備え、
前記刃部は、板状基部と、前記板状基部の先端側に前記板状基部と異なる角度で設けられた先端刃部とを含み、前記板状基部が前記先端刃部よりも前記柄の延在方向に対して大きく傾斜している、農具。
【請求項２】
請求項１記載の農具であって、
前記先端刃部のうち前記柄の基端部側の側部が、徐々に薄肉になる第１切断刃部に形成されている、農具。
【請求項３】
請求項２記載の農具であって、
前記先端刃部のうち前記第１切断刃部の反対側の側部が、徐々に薄肉になる第２切断刃部に形成されている、農具。
【請求項４】
請求項１〜請求項３のいずれか1つに記載の農具であって、
前記先端刃部の先端部が、先端側に向けて徐々に薄肉になる第３切断刃部に形成されている、農具。
【請求項５】
請求項１〜請求項４のいずれか１つに記載の農具であって、
前記板状基部は、その幅方向が前記柄の延在方向に対して直交する部分を含む、農具。
【請求項６】
請求項１〜請求項５のいずれか１つに記載の農具であって、
前記先端刃部は、前記柄の延在方向に沿って平たい部分を含む、農具。
【請求項７】
請求項１〜請求項６のいずれか１つに記載の農具であって、
前記板状基部と前記先端刃部とは、板状部分が捻られた捻り部を介して連なっている、農具。
【発明の詳細な説明】
【技術分野】
【０００１】
この発明は、草の根を切断したり、土を耕したりするための農具に関する。
【背景技術】
【０００２】
土を耕す農具としては、スキが知られている。例えば、特許文献１は、板状の刃と、該刃に取付けられる柄とを備える農具であって、前記刃は、その先端側に刃先部を有し、前記刃先部は、その先端部分から前記刃の基端側に向けて、前記刃先部の横幅が次第に大きくなるように延びる外縁部を両側に有し、前記先端部分から前記基端側に向けて、隙間の間隔が次第に大きくなるように切欠かれた切欠き部が設けられたものを開示している。
【０００３】
また、草の根等を切断する農具としては、鎌が一般的に知られている。
【先行技術文献】
【特許文献】
【０００４】
【特許文献１】特開２０１１−１０６３１号公報
【発明の概要】
【発明が解決しようとする課題】
【０００５】
しかしながら、特許文献１に開示の技術によると、刃に草の根等が引っ掛かってしまうと、土を耕す作業等が妨げられてしまう。
【０００６】
また、鎌では、草の根等を切断することは可能ではあるが、効率よく土を耕すことはできない。
【０００７】
そこで、本発明は、草の根等が引っ掛かることを抑制することができると共に、効率よく土を耕すことができるようにすることを目的とする。
【課題を解決するための手段】
【０００８】
上記課題を解決するため、第１の態様に係る農具は、棒状の柄と、前記柄の先端部に、その一側方に向けて突出するように取付けられた刃部と、を備え、前記刃部は、板状基部と、前記板状基部の先端側に前記板状基部と異なる角度で設けられた先端刃部とを含み、前記板状基部が前記先端刃部よりも前記柄の延在方向に対して大きく傾斜しているものである。
【０００９】
第２の態様は、第１の態様に係る農具であって、前記先端刃部のうち前記柄の基端部側の側部が、徐々に薄肉になる第１切断刃部に形成されているものである。
【００１０】
第３の態様は、第３の態様に係る農具であって、前記先端刃部のうち前記第１切断刃部の反対側の側部が、徐々に薄肉になる第２切断刃部に形成されているものである。
【００１１】
第４の態様は、第１〜第３のいずれか１つの態様に係る農具であって、前記先端刃部の先端部が、先端側に向けて徐々に薄肉になる第３切断刃部に形成されているものである。
【００１２】
第５の態様は、第１〜第４のいずれか１つの態様に係る農具であって、前記板状基部は、その幅方向が前記柄の延在方向に対して直交する部分を含むものである。
【００１３】
第６の態様は、第１〜第５のいずれか１つの態様に係る農具であって、前記先端刃部は、前記柄の延在方向に沿って平たい部分を含むものである。
【００１４】
第７の態様は、第１〜第６のいずれか１つの態様に係る農具であって、前記板状基部と前記先端刃部とは、板状部分が捻られた捻り部を介して連なっているものである。
【発明の効果】
【００１５】
第１の態様に係る農具によると、先端刃部は、板状基部部よりも柄の延在方向に沿った姿勢であるため、先端刃部によって草の根等を容易に切断することができる。また、板状基部は、先端刃部よりも柄の延在方向に対して大きく傾斜しているため、当該板状基部によって、効率よく土を耕すことができる。
【００１６】
第２の態様によると、先端刃部の第１切断刃部によって、草の根等をより容易に切断することができる。
【００１７】
第３の態様によると、先端刃部の一対の側部が、それぞれ第１切断刃部及び第２切断刃部に形成されているため、先端刃部をよりスムーズに土等に差込むことができる。
【００１８】
第４の態様によると、先端刃部の先端部が、先端側に向けて徐々に薄肉になる第３切断刃部に形成されているため、先端刃部をよりスムーズに土等に差込むことができる。
【００１９】
第５の態様によると、板状基部によってより効率よく土を耕すことができる。
【００２０】
第６の態様によると、先端刃部によって、草の根等をより容易に切断することができる。
【００２１】
第７の態様によると、土等に対して刃部をスムーズに奥まで差込むことができる。
【図面の簡単な説明】
【００２２】
【図１】実施形態に係る農具を示す側面図である。
【図２】同上の農具の刃部を示す平面図である。
【図３】図１のＩＩＩ−ＩＩＩ線断面図である。
【図４】図１のＩＶ−ＩＶ線断面図である。
【図５】図１のＶ−Ｖ線断面図である。
【図６】農具を用いた作業例を説明するための説明図である。
【図７】農具を用いた作業例を説明するための説明図である。
【図８】農具を用いた作業例を説明するための説明図である。
【図９】変形例に係る農具を示す側面図である。
【図１０】変形例に係る農具の刃部を示す平面図である。
【発明を実施するための形態】
【００２３】
以下、実施形態に係る農具について説明する。図１は農具１０を示す側面図であり、図２は農具１０の刃部３０を示す平面図であり、図３は図１のＩＩＩ−ＩＩＩ線断面図であり、図４は図１のＩＶ−ＩＶ線断面図であり、図５は図１のＶ−Ｖ線断面図である。また、図６〜図８は、農具１０を用いた作業例を説明するための説明図である。
【００２４】
この農具１０は、耕作、中耕、除草、および作畦などの各種作業に用いられる手作業用の農具であり、主として、土を耕したり、草の根を切断したりする作業に用いられる。
【００２５】
農具１０は、柄２０と、刃部３０とを備える。
【００２６】
柄２０は、棒状に形成されている。ここでは、柄２０は、木製の棒である。柄２０の長さは、特に限定されないが、柄２０を片手で掴んで振回すのに適した長さ寸法に設定されている。もっとも、柄は、両手で掴んで振回すのに適した長さ寸法に設定されていてもよい。柄２０の長手方向に対して直交する方向の横断面形状は、手で掴みやすいように、楕円形状又は円形状であることが好ましい。ここでは、柄２０の先端部の横断面形状は、四角形の角を丸めた形状に形成され、その他の部分である中間部及び基端部の横断面形状は、手で持ちやすいように楕円形状に形成されている。この柄２０の先端部に、刃部３０が取付けられる。
【００２７】
刃部３０は、柄２０の先端部に、その一側方に向けて突出するように取付けられている。そして、柄２０を手で持って振回すことで、前記刃部３０を土等に差込むことができるようになっている。
【００２８】
上記刃部３０は、柄連結部３２を介して柄２０の先端部に固定されている。ここでは、柄連結部３２は、刃部３０に対して一体化された部分である。柄連結部３２と刃部３０とは、当初から一体形成されていてもよいし、溶接等で接合されて一体化されてもよい。
【００２９】
ここでは、柄連結部３２は、柄２０の先端部に外嵌め可能な筒状形状に形成されている。柄連結部３２の内周面は、上記柄２０の先端部にほぼ隙間無く外嵌め可能な形状及び大きさに設定されている。そして、柄連結部３２を柄２０の先端部に外嵌めした状態で、柄２０の先端部、柄２０の先端部と柄連結部３２との間等に、楔を打込むことによって、刃部３０が柄２０の先端部にしっかりと脱落しないように固定される。刃部は、その他の構成、例えば、ボルト締等によって柄の先端部に固定されていてもよい。
【００３０】
刃部３０は、金属により一体的形成された部材であり、板状基部３４と、捻り部３８と、先端刃部４０とを備える。刃部３０を全体としてみると、円弧（緩やかな円弧）を描くように、柄２０の基端側に向かいつつ外方に延出している。これらの各部分は、金属板等をプレス加工、曲げ加工、切削加工等することによって形成されている。
【００３１】
板状基部３４は、柄連結部３２の外周周りの一部から外方に突出するように形成されている。先端刃部４０は、板状基部３４の先端側に、板状基部３４とは異なる角度となるように設けられている。板状基部３４は、先端刃部４０よりも柄２０の延在方向に対して大きく傾斜している。
【００３２】
より具体的には、板状基部３４は、柄連結部３２の外周周りの一部から外方に延出する長方形板形状に形成されており、その幅方向Ｐ１（図２参照）が柄２０の延在方向に対して直交している。これに対して、先端刃部４０は、細長板形状に形成されており、柄２０の延在に沿って平たい形状に形成されている。なお、板状基部３４の幅は、先端刃部４０の幅（後述する第１切断刃部４２と第２切断刃部４４とを結ぶ方向の寸法）よりも大きい。これにより、比較的幅広な板状基部３４によって、先端刃部４０を支持することができ、刃部３０全体としての強度を増すことができ、刃部３０を土に差込んだ場合等に破損し難くなる。
【００３３】
なお、板状基部が、その幅方向が柄の延在方向に対して直交する部分を含むこと、及び、先端刃部が、柄の延在に沿って平たい形状部分を含むことは必須ではない。
【００３４】
また、板状基部３４と先端刃部４０とは、捻り部３８を介して連なっている。捻り部３８は、板状部分が９０度捻られた形状に形成されており、その一端部は板状基部３４の先端部に連続しており、その他端部は先端刃部４０の基端部に連続している。この捻り部３８は、先端刃部４０から板状基部３４に向いつつ徐々に回転する形状を呈することによって、先端刃部４０の外表面と板状基部３４の外表面とを連続する滑らかな面で繋ぐ役割を果す。
【００３５】
もっとも、上記捻り部３８が省略され、板状基部と先端刃部とが直接的に繋がっていてもよい。捻り部３８を設けた場合の利点については後で説明する。
【００３６】
先端刃部４０は、第１切断刃部４２と、第２切断刃部４４と、第３切断刃部４６とを備える。
【００３７】
第１切断刃部４２は、先端刃部４０のうち柄２０の基端部側の側部を、その縁に向けて徐々に薄肉にすることにより形成されている。また、第２切断刃部４４は、先端刃部４０のうち第１切断刃部４２の反対側の側部を、その縁に向けて徐々に薄肉にすることにより形成されている。従って、先端刃部４０は、その両辺に刃が形成された一種の諸刃であるといえる。
【００３８】
また、第３切断刃部４６は、先端刃部４０の先端部を、その先端部に向けて徐々に薄肉にすることにより形成されている。なお、ここでは、側面視では、第３切断刃部４６の先端部は、半円を描く形状に形成されている。
【００３９】
なお、上記先端刃部４０に、第１切断刃部４２、第２切断刃部４４及び第３切断刃部４６が設けられていることは必須ではない。例えば、先端刃部には、第１切断刃部のみ設けられていてもよいし、また、第１切断刃部及び第２切断刃部４４のみ設けられていてもよい。
【００４０】
上記農具１０を用いた作業例について説明する。ここでは、土を耕す作業及び草の根を切断する作業例について説明する。
【００４１】
まず、土を耕す場合、作業者が手で柄２０を掴んで、本農具１０を振回し、刃部３０の先端刃部４０を土１００に突刺すと、図６に示す状態となる。この際、土１００の根１０２は、先端刃部４０の先端部によって押退けられ又は切断される。このため、先端刃部４０は円滑に土１００中に突刺さる。
【００４２】
特に、先端刃部４０の先端部は第３切断刃部４６に形成されているため、先端刃部４０が先端刃部４０の延在方向に沿って進入中に土１００中の根１０２に当ると当該根１０２が容易に切断される。また、先端刃部４０の側部が第１切断刃部４２、第２切断刃部４４に形成されているため、先端刃部４０がその延在方向に沿って傾く姿勢で土１００中を進入する場合でも、第１切断刃部４２又は第２切断刃部４４が土１００中の根１０２に当ることで当該根１０２が容易に切断される。この点からも、先端刃部４０を土１００中に容易に突刺すことができる。
【００４３】
なお、先端刃部４０を土１００中に差込んだ状態で、先端刃部４０をその第１切断刃部４２と第２切断刃部４４とを結ぶ方向に振ると、その近くの根１０２が第１切断刃部４２或は第２切断刃部４４によって切断される。
【００４４】
刃部３０がさらに土１００中を進入すると、捻り部３８も土１００中を進入することになる。上記したように捻り部３８は、先端刃部４０の外表面と板状基部３４の外表面とを連続する滑らかな面で繋いでいるため、捻り部３８は、先端刃部４０に続いて円滑に土１００中に進入することができる。また、板状基部３４も捻り部３８に続いて円滑に土１００中に進入することができる。
【００４５】
板状基部３４が土１００中に入り込むと、図７に示す状態となる。この状態で、作業者が柄２０を掴んで、当該作業者の手前側に引っ張ると、板状基部３４によって土１００が掘り起される。また、捻り部３８及び先端刃部４０によってもある程度土１００が掘り起される。特に捻り部３８は、先端刃部４０よりも幅広であり、かつ、柄２０の引っ張り方向に対して傾斜しているため、土１００を押退けつつ土１００を進むことができる。これにより、比較的軽い力で効果的に土を掘り起すことができる。また、先端刃部４０では、土１００中の根１０２を容易に切断することができるため、農具１０を引っ張る際の力を軽減することができる。
【００４６】
これにより、主として土１００の表層に近い部分を掘り起しつつ、それよりも奥の部分の根１０２を切断することができる。また、上記を繰返すことで、土１００の深い部分も掘り起していくことができる。これにより、本農具１０によって、根１０２が引っ掛かることを抑制しつつ、土１００を効率よく耕すことができる。
【００４７】
また、草の根１０２を切断することが主目的である場合には、図８に示すように、刃部３０の先端部、即ち、主として先端刃部４０を土１００中に差込んだ状態で、作業者が柄２０を掴んで、当該作業者の手前側に引っ張る。すると、先端刃部４０によって効果的に根１０２を切断することができる。板状基部３４を土１００中に差込んで上記掘り起し作業を行う前に、本作業を実施しておくと、土１００中の表面近くの根１０２が事前に切断されるため、上記掘り起し作業を容易に行える。
【００４８】
なお、先端刃部４０よって、土上にある草自体をも容易に切断することができる。
【００４９】
また、先端刃部４０を土１００中に差込んだ状態で、刃部３０を土１００中に押込みつつ柄２０を作業者側に引っ張ると、先端刃部４０が土１００中の根１０２を切断しつつ進むので、刃部３０を土１００中に徐々に深く潜り込ませることができる。
【００５０】
以上のように構成された農具１０によると、先端刃部４０は、板状基部３４よりも柄２０の延在方向に沿って偏平な構成とされているため、当該先端刃部４０によって草の根１０２等を容易に切断することができる。また、板状基部３４は、先端刃部４０よりも柄２０の延在方向に対して大きく傾斜しているため、当該板状基部３４によって効率よく土を耕すことができる。これにより、本農具１０によって、根１０２が引っ掛かることを抑制しつつ、効率よく土を耕すことができる。
【００５１】
特に、板状基部３４が、幅方向が柄２０の延在方向に対して直交する部分を含むと、その部分によって効率的に土を掘り起して効率よく土を耕すことができる。
【００５２】
また、先端刃部４０が、柄２０の延在方向に沿って偏平な部分を含むと、その部分によって草の根等をより容易に切断することができる。
【００５３】
また、先端刃部４０のうち柄２０の基端側の側部に第１切断刃部４２が形成されているため、刃部３０を引っ張ることで、先端刃部４０の第１切断刃部４２によって根１０２を容易に切断することができる。これにより、刃部３０を土１００中に差込む作業、土１００中を移動させる作業等を容易に行える。
【００５４】
また、先端刃部４０のうち第１切断刃部４２の反対側の側部に第２切断刃部４４が形成されているため、刃部３０を押すことで又は押し引きする方向に揺らすこと等で、第２切断刃部４４によって根１０２を容易に切断することができる。これにより、刃部３０を土１００中に差込む作業、土１００中を移動させる作業等を容易に行える。
【００５５】
さらに、先端刃部４０の先端部に第２切断刃部４４が形成されているため、刃部３０を土１００中に差込んでいく際等に、第３切断刃部４６によって土１００中の根１０２を容易に切断することができる。これにより、刃部３０を土１００中に差込む作業等を容易に行える。
【００５６】
また、板状基部３４と先端刃部４０とが捻り部３８を介して繋がっているため、先端刃部４０を土１００に差込んだ後、続いて、捻り部３８及び板状基部３４を土１００中に円滑に差込むことができ、刃部３０を土１００等に対してスムーズに奥まで差込むことができる。
【００５７】
なお、捻り部３８の回転方向は、板状基部３４から先端刃部４０に向けていずれの方向に回転しつつ変形する形状であってもよい。もっとも、その回転方向に応じて、刃部３０を差込む際及び刃部３０を土１００中に移動させる際において、作業者の手への力の加わり方が異なると考えられる。そこで、右手用と左手用とで、異なる回転方向の農具が準備されていてもよい。
【００５８】
図９は変形例に係る農具２１０を示す側面図であり、図１０は農具２１０の刃部２３０を示す平面図である。この変形例に係る農具２１０が上記実施形態に係る農具１０と異なる点は次の通りである。
【００５９】
すなわち、刃部２３０は、板状基部２３４と、捻り部２３８と、先端刃部２４０とを備えている。
【００６０】
板状基部２３４は、上記板状基部３４に対応する部分であり、当該板状基部３４よりも幅広に形成されている。
【００６１】
捻り部２３８は、上記捻り部３８に対応する部分であり、当該捻り部３８よりも幅広な細長板状部分を捻った形状に形成されている。
【００６２】
先端刃部２４０は、上記先端刃部４０に対応する部分であり、当該先端刃部４０よりも幅広（柄２０の延在方向に沿った方向で幅広）に形成されている。また、農具２１０側方から先端刃部２４０を見ると、当該先端刃部２４０は、鎌の刃のような形状を呈している。先端刃部２４０のうち柄２０の基端側の側部には、その縁に向けて徐々に薄肉となる第１切断刃部２４２が形成されている。また、先端刃部２４０の先端部には、その先端部に向けて徐々に薄肉となる第３切断刃部２４６が形成されている。ここでは、第３切断刃部２４６は、その側方から見ても徐々に幅狭となって尖る形状に形成されている。
【００６３】
この変形例によって、上記第２切断刃部４４による作用効果を除いて、上記実施形態と同様の作用効果を得ることができる。
【００６４】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６５】
１０、２１０  農具
２０  柄
３０、２３０  刃部
３４、２３４  板状基部
３８、２３８  捻り部
４０、２４０  先端刃部
４２、２４２  第１切断刃部
４４  第２切断刃部
２４６  第３切断刃部
【図１】
2015077109.tif 000003
【図２】
2015077109.tif 000004
【図３】
2015077109.tif 000005
【図４】
2015077109.tif 000006
【図５】
2015077109.tif 000007
【図６】
2015077109.tif 000008
【図７】
2015077109.tif 000009
【図８】
2015077109.tif 000010
【図９】
2015077109.tif 000011
【図１０】
2015077109.tif 000012